(57)【特許請求の範囲】
【請求項１】
屋根の補修のため再塗装した後、屋根材の重ね合わせ部に打ち込んだまま使用する縁切り部材であって、
前記屋根材の重ね合わせ部に挿入する板状で平面から下面に貫通する穴を備えた本体と、前記屋根材の重ね合わせ部から離脱しないため一端が前記穴の挿入側で前記本体に接続するとともに他端が本体から下方又は上方に突出した弾性を備えた板状の離脱防止片と、前記本体の手前部に所定の位置決めをするストッパーとからなることを特徴とする屋根材の縁切り部材。
【請求項２】
前記本体の平面形状が５角形で、前記穴及び離脱防止片が２組あり、
さらに、前記離脱防止片の屋根材と接する部位に凹凸形状と、前記本体底部に挿入方向に向かって平面三角形状で断面三角形状又は楔形状の離脱防止用凸部と、前記本体の一部に屋根材の重ね合わせ部に侵入してくる雨水等を溜める平面から下面に貫通する排水溜り用空間と、前記ストッパーの下部に前記排水溜り用空間に溜まった雨水等を排水する排水溝を設けたことを特徴とする請求項１に記載の屋根材の縁切り部材。
【請求項３】
前記本体平面中央部が厚肉で先端部および側面部に近づくに従って傾斜形状となることを特徴とする請求項１または請求項２記載の屋根材の縁切り部材。
【発明の詳細な説明】
【技術分野】
【０００１】  本発明は、屋根材の補修を目的に再塗装した後、屋根材の重ね合わせ部の塗膜部を縁切りする縁切り部材に関する。
【背景技術】
【０００２】  従来、野地板に等間隔に重ね合わせて配列し、設置されている屋根材は、長期間経過すると屋根材とその表面部が劣化するので、補修を目的に再塗装する。【０００３】  しかしながら、屋根材を再塗装すると、屋根材の水平方向の重ね合わせ部が塗膜で密閉され、屋根材の縦方向の繋ぎ合わせ部から侵入した雨水等は水平方向の下方部へ排水されることなく、滞留される。滞留した雨水等が長期間放置されると、野地板を腐蝕、破損させ天井の雨漏りに繋がる。【０００４】  このため、屋根材を再塗装した後、屋根材の重ね合わせ部に縁切りを目的に板状の部材を挿入し、縁切りを行い長期間使用する手法がある。【０００５】  しかし、この縁切り部材は屋根材の長期間使用し劣化が著しいとき、屋根材の重ね合わせ部の空間が増し、縁切り部材が離脱する懸念が持たれた。
更に、従来の縁切り部材は、縁切り部材の周囲に滞留した雨水等を積極的に排水する手法が取られていなかった。
また、縁切り部材が挿入された屋根材の重ね合わせ部の縁切り部材が挿入された外周部上を、人が足で踏む等の荷重がかかった時、屋根材を破損さす懸念があった。
【特許文献１】特願２００３−３８８５６１
【発明の開示】
【発明が解決しようとする課題】
【０００６】  本発明は以上のような従来の欠点に鑑み、屋根材を長期期間使用し劣化が著しくなり、屋根材の重ね合わせ部の空間が増しても、縁切り部材が離脱しない、更に、縁切り部材の周囲に滞留した雨水等を積極的に排水する、また、屋根材の重ね合わせ部に挿入された縁切り部材の外周部に人が足で踏む等の荷重が加わっても屋根材の破損が発生しない縁切り部材を提供することを目的とする。【０００７】  本発明の前記ならびにその他の目的と新規な特徴は次の説明と添付図と照らし合わせ読むと、より完全に明らかになるであろう。
ただし、図面はもっぱら解説のものであって、発明の技術的な範囲を限定するものではない。
【課題を解決するための手段】
【０００８】  上記目的を達成するため、本発明は屋根の補修のため再塗装した後、屋根材の重ね合わせ部に打ち込んだまま使用する縁切り部材であって、前記の屋根材の重ね合わせ部に挿入する板状の本体と、前記本体には屋根材の重ね合わせ部から離脱しないため該本体に設けた離脱防止片と、前記本体の手前部に所定の位置決めをするストッパーとから屋根材の縁切り部材を構成している。
【発明の効果】
【０００９】以上の説明から明らかなように、本発明にあっては次に列挙する効果が得られる。
（１）屋根の補修のため再塗装した後、屋根材の重ね合わせ部に打ち込んだまま使用する縁切り部材であって、前記の屋根材の重ね合わせ部に挿入する板状の本体と、前記本体には屋根材の重ね合わせ部から離脱しないため該本体に設けた離脱防止片と、前記本体の手前部に所定の位置決めをするストッパーとから構成されている。
このため、本縁切り部材は、屋根の重ね合わせ部に打ち込んでも、本体端部に設けたストッパーで確実に所定の位置に設定される。
更に、本体底部に設けた弾性体からなる離脱防止片により、屋根材が経年変化で屋根材間の空間が所定量より増しても、縁切り部材は当初の部位に止まり、常時雨水等の排水を行い、野地板等の腐蝕、破損を防止する。【００１０】（２）請求項２でも前記（１）項と同様の効果を果たすが、更に、離脱防止片が本体に併設された弾性体からなる離脱防止片には凹凸を設けており、更に、離脱防止用凸部も併設されているため、屋根の重ね合わせ部の隙間が増加した上、風水、地震等で振動が加わっても縁切り部材は屋根の重ね合わせ部から離脱することはない。
また、本縁切り部材は雨水等が本体中央部に設けた空間部に流入した時、ストッパー下部に設けた排水溝から排出されるようになっている。このため、多量の雨水等の排水は無論、雨水等が屋根の重ね合わせ部に滞留することが無いため、毛細管現象により、雨水等が野地板に浸入し腐蝕、破損させることも排除できる。【００１１】（３）請求項３では、本体中央部が厚肉で本体外周部が薄肉となる傾斜形状とっているため、屋根材の重ね合わせ部に挿入された縁切り部材の外周部に、人等が足で踏む等、局部的に荷重が加わっても屋根材の破損は防止できる。
【発明を実施するための最良の形態】
【００１２】  以下、図面に示す実施するための最良の形態により、本発明を詳細に説明する。【００１３】  図１ないし図８の本発明の第１の実施の形態において、１は屋根材の縁切り部材で、２はその本体で、３は屋根材の縁切り部材１を屋根材の重ね合わせ部１０に挿入する時、適正な位置を決めるためのストッパーである。【００１４】  縁切り部材１が、屋根材の重ね合わせ部１０から離脱しないよう、離脱防止片４および離脱防止用凸部５を設けている。【００１５】  縁切り部材１に適用する材料は、加工性が容易な樹脂系の材料が好ましい。【００１６】  屋根材９は、約７年から８年経過した時点で再塗装の時期となる。再塗装後、屋根材の重ね合わせ部１０に雨水等が滞留しないように、縁切り部材１が挿入される。しかし、再塗装して、更に長期間経過すると、屋根材の劣化により、屋根材の重ね合わせ部１０に隙間が発生し、その値は増加傾向となる。屋根材は、使用後、１０年を経過すると高温、多湿と悪い環境の地域では屋根材の重ね合わせ部の隙間（図１０のＣ）は７〜８ｍｍになることがある。このため、屋根材の重ね合わせ部１０に挿入された従来の縁切り部材は約４ｍｍの隙間に対応できるのに止まるので、離脱の懸念が持たれる。【００１７】離脱防止のため、本発明の縁切り部材１には、その本体に離脱防止片４を設けた。
本離脱防止片４は本体２の下方に弾性を備えた板状のもので、屋根材９と接触する部位には、単数あるいは複数の凹凸形状を形成している。
本縁切り部材１は、屋根の重ね合わせ部１０の隙間が想定以上に増加しても、離脱防止片４は弾性を持ち、屋根の重ね合わせ部１０の隙間に対し、充分追従できるよう設定されているので、離脱することはない。
尚、本発明の離脱防止片４は本体２の下方に設けているが、上方に設けることも可能である。【００１８】  縁切り部材１の本体２の下部に図４に示す如く、複数個の離脱止用凸部を設けている。
その断面形状を図５に示す。その断面形状は、三角形状でもよいが、楔形状のほうが離脱防止効果をより高める。【００１９】  また、本縁切り部材１には、図７に示す如く、ストッパー３の底部に排水溝７を設けたことである。本排水溝７は、雨水等が縁切り部材１の近傍に集まり、図６で示す、排水溜り用空間６に滞留した時、即、排出する。
このように、本縁切り部材１は、雨水等の滞留がないため、毛細管現象で、野地板１３を腐蝕、破損させることを防止できる。【００２０】  図９に、屋根に縁切り部材１を装着する部位を示す。【００２１】  図１０に、屋根の重ね合わせ部１０に縁切り部材１を装着した状態を示す。【００２２】  尚、屋根材の重ね合わせ部１０に縁切り部材１を挿入するには、縁切り部材１の先端部を屋根材の重ね合わせ部１０に少量差し入れ、後、手動あるいは冶具でストッパー３の端面に荷重をかけることで容易に挿入ができる。
【発明を実施するための異なる形態】
【００２３】  次に、図１１ないし図１５に示す本発明の実施するための異なる形態につき説明する。尚、これらの本発明を実施するための異なる形態の説明に当って、前記本発明の第１の実施するための最良の形態と同一構成部分には同一符号を付して重複する説明を省略する。
【００２４】  図１１ないし図１５の本発明の第２の実施例においては、第１の実施例と比較して異なる点は、本体中央部は厚肉で、先端部および側面部に近づくに従って、傾斜形状を取っていることである。
このように、本体の肉厚を傾斜形状にすることで、本縁切り部材１の本体２を屋根の重ね合わせ部１０に挿入したとき、図１５に示す通り、本体２の先端部および側面部が薄肉となっているため、その直上を人が足で踏む等局部的に過度の荷重が加わっても屋根材９の亀裂、破損は排除できる。
【００２５】  従来の縁切り部材１の本体２の中央部と先端部および側面部が同じ肉厚であった時、屋根材の重ね合わせ部１０に挿入された縁切り部材１の直上に人が足等で踏む等の過度の荷重が加わった時、図１４に示す通り、屋根材９は亀裂、破損し、雨水等の浸入により野地板１３の腐蝕、破損の原因となる。
【産業上の利用可能性】
【００２６】    本発明は屋根材を製造する産業および屋根材を再塗装する業者に利用される。
【図面の簡単な説明】
【００２７】
【図１】本発明の第１の実施の形態の斜視図。
【図２】本発明の第１の実施の形態の平面図（１）。
【図３】本発明の第１の実施の形態の正面図（１）。
【図４】本発明の第１の実施の形態の下面図。
【図５】本発明の第１の実施の形態の離脱防止用凸部断面図。
【図６】本発明の第１の実施の形態の平面図（２）。
【図７】本発明の第１の実施の形態の側面図（２）。
【図８】本発明の第１の実施の形態の正面図（２）。
【図９】屋根の重ね合わせ部への縁切り部材を取り付けた位置を示す図。
【図１０】屋根の重ね合わせ部に縁切り部材を挿入した状態を示した図。
【図１１】本発明の第２の実施の形態の平面図。
【図１２】本発明の第２の実施の形態の断面図（１）。
【図１３】本発明の第２の実施の形態の断面図（２）。
【図１４】屋根材の重ね合わせ部に従来の縁切り部材を装着した図。
【図１５】屋根材の重ね合わせ部に本発明の縁切り部材を装着した図。
【符号の説明】
【００２８】
１：縁切り部材
２：本体
２ａ：穴
３：ストッパー
４：離脱防止片
５：離脱防止用凸部
６：排水溜り用空間
７：排水溝
８：傾斜形状
９：屋根材
１０：屋根材の重ね合わせ部
１１：屋根材の重ね合わせ部に縁切り部材を取り付けた部位
１２：屋根材の重ね合わせ部に縁切り部材を挿入した状態
１３：野地板
１４：亀裂箇所
１５：塗膜部
１６：先端部
１７：凹凸形状
【図１】
0004761196.tif 000002
【図２】
0004761196.tif 000003
【図３】
0004761196.tif 000004
【図４】
0004761196.tif 000005
【図５】
0004761196.tif 000006
【図６】
0004761196.tif 000007
【図７】
0004761196.tif 000008
【図８】
0004761196.tif 000009
【図９】
0004761196.tif 000010
【図１０】
0004761196.tif 000011
【図１１】
0004761196.tif 000012
【図１２】
0004761196.tif 000013
【図１３】
0004761196.tif 000014
【図１４】
0004761196.tif 000015
【図１５】
0004761196.tif 000016